(57)【要約】【課題】本発明は、操作棒の先端側に開閉フックを備えたアースフックであって、狭隘な筐体内の奥側の電力ケーブルにも開閉フックを的確に接続できるようにしたアースフックを提供することを課題とする。【解決手段】本発明に係るアースフックは、筒状の操作棒と、操作棒に挿入されたフレキシブルなシャフトであって、操作棒の外側に対して出退可能で、かつ、少なくとも操作棒の外側に出た状態で、操作棒に作用する軸周回りの回転トルクが伝達可能に構成されたシャフトと、シャフトの先端部に取り付けられたヘッダであって、開閉フックを有するとともに、シャフトに伝達された回動トルクを開閉フックの開閉動作に転換する動力変換機構を有するヘッダとを備える。【選択図】図１
2016129466.tif 000002
【特許請求の範囲】
【請求項１】
筒状の操作棒と、操作棒に挿入されたフレキシブルなシャフトであって、操作棒の外側に対して出退可能で、かつ、少なくとも操作棒の外側に出た状態で、操作棒に作用する軸周回りの回転トルクが伝達可能に構成されたシャフトと、シャフトの先端部に取り付けられたヘッダであって、開閉フックを有するとともに、シャフトに伝達された回動トルクを開閉フックの開閉動作に転換する動力変換機構を有するヘッダとを備えたアースフック。
【請求項２】
シャフトの基端部に設けられた係合部と、操作棒の基端より先端側に設けられた被係合部とを備え、該係合部と前記被係合部とが係脱自在に構成された請求項１に記載のアースフック。
【請求項３】
シャフトの先端部に設けられた係合部を備え、該係合部と前記被係合部とが係脱自在に構成された請求項１又は２に記載のアースフック。
【発明の詳細な説明】
【技術分野】
【０００１】
本発明は、操作棒の先端側に開閉フックを備えたアースフックに関する。
【背景技術】
【０００２】
電気設備に対する作業時において、作業の安全性を確保する観点からアースフックが使用されている。アースフックは、図５に示すように、リジッドな操作棒１１０と、この操作棒１１０の先端部に取り付けられ、開閉フック１３１を有するヘッダ１３０と、所定の接地箇所に取り付けられる接地部材１５０と、前記開閉フック１３１と接地部材１５０とを電気的に接続するアースリード線１５１とを備えている（例えば、特開２０１１−１４２７５４号公報参照）。開閉フック１３１は、操作棒１１０を軸周回りに回転することで開閉する。
【０００３】
このようなアースフックは、例えば、発変電所のスイッチギヤ（図示せず）を点検する際にも使用される。スイッチギヤは、密閉空間を作る筐体と、筐体内に格納される各種の電気機器と、電気機器を接続する電力ケーブルとを備えている。電気機器と電力ケーブルとは、端子を介して接続されている。
【０００４】
そして、開閉フック１３１は、開いた状態で端子に引っ掛けられる。そして、操作棒１１０が回されることで、開閉フック１３１が閉じた状態になり、端子に的確に接続される。このようにして、電気機器は、電力ケーブル、開閉フック１３１、アースリード線１５１、そして、接地部材１５０を介して接地される。
【先行技術文献】
【特許文献】
【０００５】
【特許文献１】特開２０１１−１４２７５４号公報
【発明の概要】
【発明が解決しようとする課題】
【０００６】
ところで、スリム化されたスイッチギヤは、筐体内が狭隘であり、各種の電気機器が近接した状態で隣り合っている。したがって、アースフックのリジッドな操作棒１１０が電気機器に当たらないようにしつつ、筐体内の奥側の電力ケーブルを接続した端子に開閉フック１３１を接続することが困難な場合がある。このような場合、作業者が無理な姿勢をとって手作業により、電力ケーブルを接続する端子にアースリード線１５１を接続する。
【０００７】
しかし、手作業では、アースリード線１５１を電力ケーブルに的確に接続できなかったり、作業者の負担が大きかったりする。
【０００８】
そこで、本発明は、操作棒の先端側に開閉フックを備えたアースフックであって、狭隘な筐体内の奥側の電力ケーブルにも開閉フックを的確に接続できるようにしたアースフックを提供することを課題とする。
【課題を解決するための手段】
【０００９】
本発明に係るアースフックは、筒状の操作棒と、操作棒に挿入されたフレキシブルなシャフトであって、操作棒の外側に対して出退可能で、かつ、少なくとも操作棒の外側に出た状態で、操作棒に作用する軸周回りの回転トルクが伝達可能に構成されたシャフトと、シャフトの先端部に取り付けられたヘッダであって、開閉フックを有するとともに、シャフトに伝達された回動トルクを開閉フックの開閉動作に転換する動力変換機構を有するヘッダとを備えている。
【００１０】
このアースフックによれば、シャフトの曲がりによってヘッダと操作棒との相対的な位置関係を変更でき、各種機器を格納した狭隘な筐体内の奥側の電力ケーブルに開閉フックを接続できる。筐体内の奥側の電力ケーブルに開いた状態の開閉フックを掛止し、操作棒を筐体外まで引き寄せて露出するシャフトが筐体内の各種機器をかわすように曲げられ、操作棒に作用する回転トルクが動力変換機構によって開閉フックの開閉動作に転換され、開閉フックが閉じられる。
【００１１】
また、本発明に係るアースフックは、シャフトの基端部に設けられた係合部と、操作棒の基端より先端側に設けられた被係合部とを備え、該係合部と前記被係合部とが係脱自在とすることが好ましい。このアースフックによれば、シャフトの基端部の係合部と操作棒の基端より先端側の被係合部とが係合することにより、操作棒に作用する回転トルクが操作棒の外側に出ている状態のシャフトに伝達される。
【００１２】
また、本発明に係るアースフックは、シャフトの先端部に設けられた係合部を備え、該係合部と前記被係合部とが係脱自在とされていてもよい。このアースフックによれば、操作棒に作用する回転トルクが操作棒内に退入したシャフトに伝達される。
【発明の効果】
【００１３】
本発明は、操作棒の先端側に開閉フックを備えたアースフックであって、狭隘な筐体内の奥側の電力ケーブルにも開閉フックを的確に接続できるようにしたアースフックを提供することができる。
【図面の簡単な説明】
【００１４】
【図１】図１は、本実施形態に係るアースフックであって、アースフックを構成しているシャフトが操作棒から突出し、開閉フックが開いている状態を示す一部断面正面図である。
【図２】図２は、本実施形態に係るアースフックであって、アースフックを構成しているシャフトが操作棒から突出し、開閉フックが閉じている状態を示す一部断面正面図である。
【図３】図３（ａ）は、アースフックを構成している係合部の断面平面図である。図３（ｂ）は、アースフックを構成している被係合部の平面図である。
【図４】図４は、本実施形態に係るアースフックであって、アースフックを構成しているシャフトが操作棒内に退入している状態を示す一部断面正面図である。
【図５】図５は、従来のアースフックの正面図である。
【発明を実施するための形態】
【００１５】
本発明に係るアースフックの一実施形態について図１ないし図４を参照して説明する。
【００１６】
本実施形態に係るアースフックは、筒状の操作棒１０と、フレキシブルなシャフト２０と、開閉フック３１を有するヘッダ３０とを備えている。シャフト２０は、操作棒１０の外側に対して出退可能で、かつ、少なくとも操作棒１０の外側に出た状態で、操作棒１０に作用する軸周回りの回転トルクが伝達可能に構成されている。ヘッダ３０は、シャフト２０の先端部に取り付けられ、開閉フック３１を有するとともに、シャフト２０に伝達された回転トルクを開閉フック３１の開閉動作に転換する動力変換機構３２を有する。そして、ヘッダ３０には、開閉フック３１と電気的に接続するアースリード線５１が取り付けられている。
【００１７】
操作棒１０は、通常、円筒状とされるが、角筒状であってもよい。ただし、操作棒１０の先端部には、図３（ｂ）に示すように、多数の凹凸歯を内向きに形成した被係合部１３が設けられている。
【００１８】
そして、フレキシブルなシャフト２０は、回転トルクを伝達できる程度の剛性を有している。したがって、シャフト２０は、例えば、蛇腹を有する金属製棒状部材や、剛性メッシュを埋め込んだホースのような部材で構成される。
【００１９】
このシャフト２０の基端部と先端部とには、操作棒１０に設けられた被係合部１３と係合する係合部２１，２２が設けられている。したがって、この係合部２１，２２は、図３（ａ）に示すように、シャフト２０の外周面に突出した多数の凹凸歯によって構成されている。
【００２０】
そして、ヘッダ３０は、開閉フック３１及び動力変換機構３２以外に、シャフト２０の先端部に装着されるコネクタ部３３と、このコネクタ部に連続して設けられ、アースリード線５１を接続する基盤３４とを備えている。基盤３４は、軸方向（図面では上下方向）に溝状の凹部を形成した形状とされている。この基盤３４の凹部先端（図面では上端）に開閉フック３１がピン３５によって軸支されている。
【００２１】
そして、基盤３４の凹部内であって、コネクタ部３３と開閉フック３１との間の凹部内に動力変換機構３２が配置されている。動力変換機構３２は、シャフト２０に連結され、雄ネジを形成した軸状部材３２１と、この軸状部材３２１の雄ネジに螺合する雌ネジ（図示せず）を形成し、雄ネジの軸周回りの回転によって軸方向に移動する角柱状の作用部材３２２とを備えている。
【００２２】
また、軸状部材３２１の基部には、環状溝３２１ａが形成されている。この環状溝３２１ａに嵌るベアリング３２３が基盤３４に取り付けられている。また、作用部材３２２は、基盤３４の凹部内に嵌め入れられる状態となって、周方向に回転しないようにされている。この作用部材３２２の先端側で開閉フック３１に対向する端面には、窪み部３２２ａが形成されている。
【００２３】
そして、開閉フック３１は、ほぼＬ字状に折り曲げられた形状とされている。すなわち、開閉フック３１は、ピン３５が貫通する中間部３１ａと、作用部材３２２の窪み部３２２ａに嵌る作動部３１ｂと、基盤３４の外側で揺動する挟持部３１ｃとを備え、作動部３１ｂと挟持部３１ｃとが直角方向に向けられている。
【００２４】
この開閉フック３１の作動部３１ｂが作用部材３２２の往復動に連動し、中間部３１ａを貫通したピン３５を支点にして、開閉フック３１の挟持部３１ｃが基盤３４に近づいたり離れたりする。なお、開閉フック３１の挟持部３１ｃには、拡幅部が設けられている。
【００２５】
本実施形態に係るアースフックは、以上のとおりである。次に、上記構成のアースフックの使用方法について説明する。例えば、スイッチギヤ（図示せず）を点検する際に、スイッチギヤの筐体内の電気機器を接地する必要がある。これに伴い、電力ケーブルに上記開閉フック３１が接続される。なお、スイッチギヤ内は、停電状態とされる。
【００２６】
まず、作業者が、開いた状態（挟持部３１ｃが基盤３４から離れた状態）の開閉フック３１を持ってスイッチギヤの筐体の奥側に入れる。そして、作業者は、電力ケーブルの端子に開閉フック３１の挟持部３１ｃを引っ掛ける。
【００２７】
その後、作業者は、操作棒１０を持って、スイッチギヤの手前側に引っ張る。すると、図１に示すように、シャフト２０が操作棒１０から引き出された状態となる。スイッチギヤの筐体内が狭隘で、筐体内の多数の電気機器が近接した状態で隣り合っているとしても、シャフト２０がフレキシブルであることから、シャフト２０は、電気機器をかわすように曲げられ、操作棒１０が筐体外に出される。すなわち、シャフト２０の曲がりによって、ヘッダ３０と操作棒１０との相対的な位置関係が変更される。
【００２８】
シャフト２０が操作棒１０から最大限引き出されると、操作棒１０の基端部側の係合部２１と操作棒１０の被係合部１３とが係合する。この係合部２１及び被係合部１３が多数の凹凸歯で形成されていることから、係合部２１と被係合部１３とは、係合しやすくなっている。
【００２９】
そして、作業者が操作棒１０を軸周回りに回す。操作棒１０がスイッチギヤの筐体外にあるため、作業者は、操作棒１０を容易に回すことができる。
【００３０】
そして、操作棒１０に設けられた被係合部１３とシャフト２０の基端部に設けられた係合部２１とが噛み合っていることから、操作棒１０が軸周回りに回されることによって、操作棒１０の回転トルクがシャフト２０に伝達され、シャフト２０も周方向に回される。
【００３１】
このシャフト２０の回転トルクが動力変換機構３２の軸状部材３２１に伝達され、軸状部材３２１が周方向に回ることによって、作用部材３２２が移動する。作用部材３２２は、基盤３４の凹部内に嵌め入れられた状態とされているため、共回りすることなく、移動する。
【００３２】
そして、作用部材３２２の窪み部３２２ａが移動することで、開閉フック３１の作動部３１ｂが移動し、開閉フック３１の挟持部３１ｃが基盤３４に近づく（開閉フック３１が閉じられる）ことで、電力ケーブルを接続した端子が開閉フック３１の挟持部３１ｃと基盤３４とに挟持される。
【００３３】
このようにして、電力ケーブル、開閉フック３１、アースリード線５１が接続され、電気機器が接地された状態となる。したがって、作業者は、安全な状態でスイッチギヤを点検することができる。
【００３４】
点検後は、操作棒１０を反対方向に回すことで、開閉フック３１の挟持部３１ｃを基盤３４から離す（開閉フック３１を開く）。そして、操作棒１０を筐体内に入れることで、シャフト２０を操作棒１０内に退入させる。あるいは、開閉フック３１を端子から外し、その開閉フック３１を持って筐体外に取り出し、筐体外でシャフト２０を操作棒１０内に退入させる。
【００３５】
上記の操作は、筐体の奥側の格納された電気機器を接続する電力ケーブルに開閉フック３１を接続する場合であるが、このアースフックは、筐体の手前側に格納された電気機器を接続する電力ケーブルにも接続することができる。
【００３６】
この場合は、図４に示すように、シャフト２０を操作棒１０内に退入した状態とする。この状態において、シャフト２０の先端側の係合部２２と操作棒１０の被係合部１３とが噛み合う。
【００３７】
そして、電力ケーブルの端子に、開いた状態の開閉フック３１を引っ掛ける。続いて、操作棒１０を軸周回りに回す。すると、操作棒１０の回転トルクがシャフト２０から動力変換機構３２に伝達され、開閉フック３１が閉じられる。したがって、電力ケーブル、開閉フック３１、アースリード線５１が接続された状態となり、電気機器が接地される。
【００３８】
なお、本発明は、上記内容に限定されるものでない。例えば、スイッチギヤの奥側の電力ケーブルを接地するためにのみ使用するアースフックにあっては、シャフト２０の先端側に係合部２２を設けなくてもよい。また、係合部２１，２２及び被係合部１３は、多数の凹凸歯でなく、嵌合する凹凸形状で構成してもよい。また、係合部２１，２２は、シャフト２０の中間部など基端より先端側にも設けてもよい。
【００３９】
また、上記操作棒１０は、単一の筒状体としたが、基端側部位１１と、先端側部位１２とに長さ方向に二分割したものとしてもよい。この場合、作業者は、片方の手で基端側部位１１を保持し続け、他方の手で先端側部位１２を軸周回りに回す。
【００４０】
さらに、この操作棒１０は、先端側部位１２が基端側部位１１を外嵌できる大きさで、先端側部位１２が基端側部位１１の軸方向にスライド自在としてもよい。この場合、基端側部位１１の基端部と先端側部位１２の基端部とにそれぞれ鍔部１１ａ，１２ａを設け、基端側部位１１に寄せられた先端側部位１２が抜けないようにすることが好ましい。
【符号の説明】
【００４１】
１０…操作棒、１１…基端側部位、１２…先端側部位、１１ａ，１２ａ…鍔部、１３…被係合部、２０…シャフト、２１，２２…係合部、３０…ヘッダ、３１…開閉フック、３１ａ…中間部、３１ｂ…作動部、３１ｃ…挟持部、３２…動力変換機構、３２１…軸状部材、３２１ａ…環状溝、３２２…作用部材、３２２ａ…窪み部、３２３…ベアリング、３３…コネクタ部、３４…基盤、３５…ピン、５１…アースリード線、１１０…操作棒、１３０…ヘッダ、１３１…開閉フック、１５０…接地部材、１５１…アースリード線
【図１】
2016129466.tif 000003
【図２】
2016129466.tif 000004
【図３】
2016129466.tif 000005
【図４】
2016129466.tif 000006
【図５】
2016129466.tif 000007